(57)【特許請求の範囲】
【請求項１】
回動軸を中心に回動自在な便座と、前記便座への着座が行われたことを検知する人体検知手段とを備え、前記人体検知手段は、前記回動軸の下側に接して上下方向に移動自在な可動子と、前記可動子を上方向に付勢する弾性体と、前記可動子の下側に当接して配設されるスイッチと、前記可動子と前記弾性体と前記スイッチとを搭載したスイッチ台とを具備し、前記可動子は、上面が前記回動軸に当接する同接円形状に形成されるとともに、前記回動軸と当接する部分から前記回動軸の軸方向に前記スイッチ台の外側まで形成された可動子伸設部と、前記可動子伸設部の端部の下部に設けられた水切り部とを有した衛生洗浄装置。
【発明の詳細な説明】
【０００１】
【発明の属する技術分野】
本発明は人体の局部を洗浄する衛生洗浄装置に関し、特に、人体検知手段を備えた衛生洗浄装置に関するものである。
【０００２】
【従来の技術】
便器の使用者が便座に腰掛けたことを検知する人体検知手段を備えた衛生洗浄装置として、従来は、実開昭６３−５０９８０号公報に示されるような構成が一般的であった。
【０００３】
この従来の装置においては、図８および図９に示されているように、便座１は回動軸２を有し、回動軸２は、軸受け３で軸支されるとともに、この軸受け３の内部を上下に微動自在とされている。軸受け３は、裏板４の上に配設された上下二つ割式の固定ハウジング５と、この固定ハウジング５の内部においてこの固定ハウジング５に対して上下に微動するように設けられた下方の軸支部６とよりなる。下方の軸支部６と固定ハウジング５の底部との間には、軸支部６を下方に押圧する荷重を検知する感圧センサー７が設けられている。感圧センサー７は、導電性粒子を混入した加圧導電性ゴムよりなり、加圧力を加えると抵抗値がメグオーム単位からオーム単位まで急変するスイッチ素子７ａと、スイッチ素子７ａを挟持するリード線付き電極板７ｂと、リード線付き電極板７ｂを絶縁被覆する高弾性被覆層７ｃとよりなる構成になっている。
【０００４】
【発明が解決しようとする課題】
しかしながら、このような従来の衛生洗浄装置では、便座１から回動軸２を伝わって本体内に水や洗浄液などが浸入した場合に、この水や洗浄液が感圧センサー７などの電気部品に直接かかり、感圧センサー７などの電気部品の信頼性が落ちるという課題を有していた。
【０００５】
そこで本発明は、回動軸を伝わって本体内に水や洗浄液などが浸入した場合に、これら水や洗浄液などがスイッチなどの電気部品や充電部にかかることを防止することを目的とする。
【０００６】
【課題を解決するための手段】
本発明は、上記課題を解決するために、人体検知手段が、回動軸の下側に接して上下方向に移動自在な可動子と、前記可動子を上方向に付勢する弾性体と、前記可動子の下側に当接して配設されるスイッチと、前記可動子と前記弾性体と前記スイッチとを搭載したスイッチ台とを具備し、前記可動子が、上面が前記回動軸に当接する同接円形状に形成されるとともに、前記回動軸と当接する部分から前記回動軸の軸方向に前記スイッチ台の外側まで形成された可動子伸設部と、前記可動子伸設部の端部の下部に設けられた水切り部とを有したものである。
【０００７】
本発明によれば、回動軸を伝わって本体内に水や洗浄液などが浸入した場合に、浸入した水や洗浄液は、可動子伸設部を伝わって端部の水切り部から滴下するので、スイッチや充電部にかかることはない。
【０００８】
【発明の実施の形態】
請求項１記載の発明は、回動軸を中心に回動自在な便座と、前記便座への着座が行われたことを検知する人体検知手段とを備え、前記人体検知手段は、前記回動軸の下側に接して上下方向に移動自在な可動子と、前記可動子を上方向に付勢する弾性体と、前記可動子の下側に当接して配設されるスイッチと、前記可動子と前記弾性体と前記スイッチとを搭載したスイッチ台とを具備し、前記可動子は、上面が前記回動軸に当接する同接円形状に形成されるとともに、前記回動軸と当接する部分から前記回動軸の軸方向に前記スイッチ台の外側まで形成された可動子伸設部と、前記可動子伸設部の端部の下部に設けられた水切り部とを有したものである。
【０００９】
これによれば、回動軸を伝わって本体内に水や洗浄液などが浸入した場合に、浸入した水や洗浄液は、可動子伸設部を伝わって端部の水切り部から滴下するので、スイッチや充電部にかかることがなく、その信頼性や耐久性を保証することができる。
【００２１】
以下、本発明の実施の形態について、図面を参照して説明する。
図１は本発明の実施の形態の衛生洗浄装置の回動軸部分の縦断面図、図２は同衛生洗浄装置の回動軸部分の斜視図、図３は同衛生洗浄装置の全体斜視図、図４は同衛生洗浄装置の全体側面図、図５は図１における線Ｘ−Ｘに沿った同衛生洗浄装置の縦断面図、図６は図１における線Ｙ−Ｙに沿った同衛生洗浄装置のスイッチオフ状態の縦断面図、図７は同衛生洗浄装置のスイッチオン状態を示す図６と同部分の縦断面図である。
【００２２】
図１〜図７において、便座１１は、この便座１１の両サイドに突設された円筒状の回動軸１２が、衛生洗浄装置本体１３における上下方向の長孔１４に挿入されることで、この本体１３に対し回動自在に取り付けられている。便座１１および回動軸１２は、ともにポリプロピレン樹脂で形成されている。図４に示すように、便座１１における便座側の脚底面１１ａと便器上面１５との間には、隙間１５ａが設けられている。
【００２３】
図５に示すように、本体１３の内部における回動軸１２の下方には、本体１３を構成する本体ケース１６の内壁から下向きに突設した２本のボス１６ａにビス止めされたスイッチ台１７が配設されている。１８は可動子で、コイルバネのような弾性体１９で上方向に付勢されつつスイッチ台１７に上下方向に摺動自在に取り付けられている。図５および図２に示すように、可動子１８の上面は、回動軸１２の外周に対する同接円形状に形成されて、回動軸１２の軸方向に沿ってこの回動軸１２から遠ざかる方向に伸設されている。１８ａはその伸設部である。
【００２４】
図１に示すように、スイッチ台１７の上でスイッチ可動子伸設部１８ａとの間にはスイッチ２０が配設されている。このスイッチ２０は、偏平チューブ状のシリコンゴムなどの絶縁性高弾性体２１と、この絶縁性高弾性体２１の上下の内壁に対峙して設けられた導電性高弾性体２２とを有し、伸設部１８ａと直交する水平方向に配置されている。導電性高弾性体２２は、炭素などの導電性粒子を混入した一対の電極として構成されている。導電性高弾性体２２には、その長手方向に銅などの導電性の高い金属性のリード線２３がインサートされている。偏平チューブ状の絶縁性高弾性体２１の内部には中空部２０ａが形成されており、一対の電極としての導電性高弾性体２２は、常開状態で構成されている。
【００２５】
伸設部１８ａと直交する方向に配置されたスイッチ２０の両サイドには、スイッチ台１７から上向きに突設したストッパーとしてのリブ２４がそれぞれ設けられている。このリブ２４の高さは、スイッチ２０の下死点である圧縮限界高さより高く、かつスイッチオン高さより低く設定されている。スイッチ可動子伸設部１８ａはスイッチ台１７の外側まで伸設されており、その端面下部には水切用リブ１８ｂが設けられている。
【００２６】
図６に示すように、スイッチ２０の一方の端部は絶縁性高弾性体２１と導電性高弾性体２２が皮ムキされてリード部２３が露出している。その露出リード部２３ａは、リード線３４の素線部３４ａと咬められることによって電気的に結合されている。その咬め部２５からスイッチ２０の中空部２０ａにかけてスペーサ２６が挿入されることで、導電性高弾性体２２、２２どうしの距離やリード線２３、２３どうしの距離を確保して、これら導電性高弾性体２２、２２どうしの接触やリード線２３、２３どうしの接触の防止が図られている。さらに、咬め部２５とスペーサ２６とスイッチ２０の端部とにかけては、収縮チューブ２７で覆われている。スイッチ２０の他方の端部における中空部２０ａには、スイッチ台１７から突設された突部２８が、同様の機能を果たす目的で挿入されている。
【００２７】
次に作用を説明する。便座１１に人が着座すると脚底面１１ａと便器上面１５との隙間１５ａの分だけ便座１１が下がり、これにつれて回動軸１２が下がって、図６の状態から図７の状態となる。すなわち、可動子１８がストッパーとしてのリブ２４に当接するまで下動してスイッチ２０の上面を押さえ、上下の電極としての導電性高弾性体２２が接触してオン状態となる。このとき、スイッチ２０の下死点の手前で可動子１８の下動を止めるストッパーとしてのリブ２４をスイッチ台１７に有することにより、便座１１に人が着座したときにスイッチ２０に限界を越える力が加わることがなく、またその耐久性も保証することができる。そして人が立ち上がると、コイルバネ１９によって可動子１８が押し上げられ、スイッチ２０の上下の電極としての導電性高弾性体２２が離れて、オフ状態となる。
【００２８】
便座１１はコイルバネ１９によって上方向に付勢されているので、コイルバネ１９のバネ定数を変えるだけで、スイッチオン重量（便座に加わるスイッチオン可能な最小重量）を調整できる。
【００２９】
スイッチ台１７は本体ケース１６の内壁から突設したボス１６ａに取り付けられているため、本体１３に対するスイッチ台１７の位置は、ボス１６ａの高さだけで決まる。このため、スイッチ２０の動作位置のバラツキが少なく、その調節も容易にできる。
【００３０】
便座１１の材料を回動軸１２も含めポリプロピレン樹脂としたので、便座１１や本体１３を洗剤などで掃除した後に回動軸１２に洗剤が残ったままで使用された場合に、便座１１に着座したときの荷重の一部が回動軸１２の根元に加わっても、この回動軸１２が折れたりすることがない。
【００３１】
可動子１８の上面は回動軸１２に接する同接円形状に形成され、また可動子１８は、回動軸１２と接する部分から回動軸１２の軸方向にスイッチ台１７の外側まで伸設した可動子伸設部１８ａと、可動子伸設部１８ａの端面下部に形成された水切用リブ１８ｂとを有するので、回動軸１２を伝わって本体１３内へ侵入した水は、可動子１８の上面を伝わって端面下部の水切用リブ１８ｂから滴下する。このため、スイッチ２０などの電気部品や充電部が侵入水で濡れることがない。
【００３２】
スイッチ２０は、扁平チューブ状の絶縁性高弾性体２１と、絶縁性高弾性体２１の上下の内壁に対峙して設けられた一対の電極としての導電性高弾性体２２と、導電性高弾性体２２の長手方向にインサートされた銅などの導電性の高い金属製のリード線２３とを有することにより、便座１１への着座によって扁平チューブ状の絶縁性高弾性体２１が圧縮され、一対の導電性高弾性体２２からなる電極が接触してオン状態となるので、オンの作動範囲が広く、また繰り返し圧縮に対する寿命も長い。
【００３３】
スイッチ２０の両端部の中空部にスペーサ２６、２８を圧入し、一方のスペーサ２８をスイッチ台１７に配設された突部で構成したので、スペーサ２６、２８によってスイッチ２０の電極間の距離が確保され、誤動作の可能性が非常に少なくなるとともに、スイッチ台１７に対しての位置決めもできる。
【００３４】
【発明の効果】
以上のように本発明によると、回動軸を伝わって本体内に水や洗浄液などが浸入した場合に、浸入した水や洗浄液は、可動子伸設部を伝わって端部の水切り部から滴下するので、スイッチや充電部にかかることがなく、その信頼性や耐久性を保証することもできる。
【図面の簡単な説明】
【図１】本発明の実施の形態の衛生洗浄装置の回動軸部分の縦断面図
【図２】同衛生洗浄装置の回動軸部分の斜視図
【図３】同衛生洗浄装置の全体斜視図
【図４】同衛生洗浄装置の全体側面図
【図５】図１における線Ｘ−Ｘに沿った同衛生洗浄装置の縦断面図
【図６】図１における線Ｙ−Ｙに沿った同衛生洗浄装置のスイッチオフ状態の縦断面図
【図７】同衛生洗浄装置のスイッチオン状態を示す図６と同部分の縦断面図
【図８】従来の衛生洗浄装置の分解斜視図
【図９】図８の衛生洗浄装置における軸受け部の縦断面図
【符号の説明】
１１  便座
１２  回動軸
１７  スイッチ台
１８  可動子
１９  コイルバネ（弾性体）
２０  スイッチ
２４  リブ（ストッパー）
【図１】
0003633750.tif 000002
【図２】
0003633750.tif 000003
【図３】
0003633750.tif 000004
【図４】
0003633750.tif 000005
【図５】
0003633750.tif 000006
【図６】
0003633750.tif 000007
【図７】
0003633750.tif 000008
【図８】
0003633750.tif 000009
【図９】
0003633750.tif 000010